(57)【要約】【課題】少なくとも一部が透明である遊技盤を備えた遊技機において、遊技領域の装飾性を高めること。【解決手段】第一遊技領域１１は、排出誘導部材５０と入賞誘導部材６０の間の領域が、遊技盤１０の透明な部分によって第一装飾部材２１が視認可能に構成されるとともに、遊技球を誘導する部材が設けられておらず、第二遊技領域１２は、第二入賞口が設けられた上流領域１２１、および当該上流領域１２１を通過した遊技球が進入する領域である排出口３０側および第一入賞口４０側に位置する下流領域１２２を含み、当該下流領域１２２は、遊技盤の透明な部分によって第二装飾部材２２が視認可能に構成されるとともに、進入した遊技球が第一入賞口４０に到達しないように遊技球を誘導する部材が設けられている。【選択図】図１
2015116430.tif 000002
【特許請求の範囲】
【請求項１】
遊技球が流下可能な遊技領域を有し、前記遊技領域を構成する遊技盤およびこの遊技盤に取り付けられた前記遊技領域を囲む形成部材を備えた遊技機において、
前記遊技領域に配置された遊技構成体と、
前記遊技領域の下端に位置し、いずれの入賞口にも入賞しなかった遊技球が排出される排出口と、
前記遊技構成体の下側でかつ前記排出口の上側に位置する第一入賞口と、
前記遊技領域の一部であって、前記遊技構成体および前記第一入賞口の幅方向一方側の領域であり、当該領域を構成する遊技盤の少なくとも一部が透明である第一遊技領域と、
前記遊技領域の一部であって、前記遊技構成体および前記第一入賞口の幅方向他方側の領域であり、当該領域を構成する遊技盤の少なくとも一部が透明である第二遊技領域と、
前記遊技盤の後方側に設けられ、前記第一遊技領域と前記第二遊技領域を構成する前記遊技盤の透明な部分を通じて視認可能である装飾部材と、
前記第一遊技領域において前記形成部材に沿って前記排出口に向かって延びるように設けられた排出誘導部材と、
前記第一遊技領域において前記排出誘導部材の上側に前記第一入賞口側に向かって延びるように設けられた部材であって、途中に遊技球が通過可能な一または複数の落下口が形成された入賞誘導部材と、
前記第二遊技領域に設けられた第二入賞口と、
を備え、
前記第一遊技領域は、
前記入賞誘導部材に誘導される遊技球が前記落下口を通過しなかった場合に前記第一入賞口に入賞する可能性があり、前記落下口を通過した遊技球が前記排出誘導部材によって前記排出口に誘導されるように構成され、
前記排出誘導部材と前記入賞誘導部材の間の領域は、前記遊技盤の透明な部分によって前記装飾部材が視認可能に構成されるとともに、遊技球を誘導する部材が設けられておらず、
前記第二遊技領域は、
前記第二入賞口が設けられた上流領域、および当該上流領域を通過した遊技球が進入する領域である前記排出口側および前記第一入賞口側に位置する下流領域を含み、
当該下流領域は、前記遊技盤の透明な部分によって前記装飾部材が視認可能に構成されるとともに、進入した遊技球が前記第一入賞口に到達しないように遊技球を誘導する部材が設けられている
ことを特徴とする遊技機。
【請求項２】
前記第一遊技領域には、下流側端部が前記入賞誘導部材における前記第一入賞口から遠い側の端部である上流側端部に繋がる部材であって、途中に遊技球が通過可能な一または複数の分岐口が形成された上流誘導部材を備え、
前記上流誘導部材に誘導される遊技球は、前記分岐口を通過しなかった場合には前記入賞誘導部材によって前記第一入賞口に向かう一方、前記分岐口を通過した場合には前記装飾部材が視認可能な領域の前記第一入賞口側の反対側に位置する別の入賞口に向かうように構成されていることを特徴とする請求項１に記載の遊技機。
【請求項３】
前記上流領域における前記第二入賞口が位置する部分の少なくとも一部は、上下方向に沿い、かつその幅が遊技球一個分以上二個分未満の流路であることを特徴とする請求項１または請求項２に記載の遊技機。
【発明の詳細な説明】
【技術分野】
【０００１】
本発明は、少なくとも一部が透明である遊技盤を備えた遊技機に関する。
【背景技術】
【０００２】
下記特許文献１には、透明な遊技盤を備えた遊技機が記載されている。遊技盤の前側に構築される遊技領域には、各種入賞口や遊技釘等が設けられる。このような遊技盤を用いた場合、遊技領域は遊技盤の後方に設けられた各種部材で装飾される。
【先行技術文献】
【特許文献】
【０００３】
【特許文献１】特開２００４−１６００２９号公報
【発明の概要】
【発明が解決しようとする課題】
【０００４】
このような構成の遊技機において、遊技領域に設けられた各種入賞口や遊技釘等により、遊技領域の装飾性が低下する問題があった。
【０００５】
本発明は、少なくとも一部が透明である遊技盤を備えた遊技機において、遊技領域の装飾性を高めることを目的とする。
【課題を解決するための手段】
【０００６】
上記課題を解決するためになされた請求項１の発明にかかる遊技機は、遊技球が流下可能な遊技領域を有し、前記遊技領域を構成する遊技盤およびこの遊技盤に取り付けられた前記遊技領域を囲む形成部材を備えた遊技機において、前記遊技領域に配置された遊技構成体と、前記遊技領域の下端に位置し、いずれの入賞口にも入賞しなかった遊技球が排出される排出口と、前記遊技構成体の下側でかつ前記排出口の上側に位置する第一入賞口と、前記遊技領域の一部であって、前記遊技構成体および前記第一入賞口の幅方向一方側の領域であり、当該領域を構成する遊技盤の少なくとも一部が透明である第一遊技領域と、前記遊技領域の一部であって、前記遊技構成体および前記第一入賞口の幅方向他方側の領域であり、当該領域を構成する遊技盤の少なくとも一部が透明である第二遊技領域と、前記遊技盤の後方側に設けられ、前記第一遊技領域と前記第二遊技領域を構成する前記遊技盤の透明な部分を通じて視認可能である装飾部材と、前記第一遊技領域において前記形成部材に沿って前記排出口に向かって延びるように設けられた排出誘導部材と、前記第一遊技領域において前記排出誘導部材の上側に前記第一入賞口側に向かって延びるように設けられた部材であって、途中に遊技球が通過可能な一または複数の落下口が形成された入賞誘導部材と、前記第二遊技領域に設けられた第二入賞口と、を備え、前記第一遊技領域は、前記入賞誘導部材に誘導される遊技球が前記落下口を通過しなかった場合に前記第一入賞口に入賞する可能性があり、前記落下口を通過した遊技球が前記排出誘導部材によって前記排出口に誘導されるように構成され、前記排出誘導部材と前記入賞誘導部材の間の領域は、前記遊技盤の透明な部分によって前記装飾部材が視認可能に構成されるとともに、遊技球を誘導する部材が設けられておらず、前記第二遊技領域は、前記第二入賞口が設けられた上流領域、および当該上流領域を通過した遊技球が進入する領域である前記排出口側および前記第一入賞口側に位置する下流領域を含み、当該下流領域は、前記遊技盤の透明な部分によって前記装飾部材が視認可能に構成されるとともに、進入した遊技球が前記第一入賞口に到達しないように遊技球を誘導する部材が設けられていることを特徴とする。
【０００７】
請求項２に記載の発明は、請求項１に記載の遊技機において、前記第一遊技領域には、下流側端部が前記入賞誘導部材における前記第一入賞口から遠い側の端部である上流側端部に繋がる部材であって、途中に遊技球が通過可能な一または複数の分岐口が形成された上流誘導部材を備え、前記上流誘導部材に誘導される遊技球は、前記分岐口を通過しなかった場合には前記入賞誘導部材によって前記第一入賞口に向かう一方、前記分岐口を通過した場合には前記装飾部材が視認可能な領域の前記第一入賞口側の反対側に位置する別の入賞口に向かうように構成されていることを特徴とする。
【０００８】
請求項３に記載の発明は、請求項１または請求項２に記載の遊技機において、前記上流領域における前記第二入賞口が位置する部分の少なくとも一部は、上下方向に沿い、かつその幅が遊技球一個分以上二個分未満の流路であることを特徴とする。
【発明の効果】
【０００９】
請求項１に記載の発明は、第一遊技領域における入賞誘導部材と排出誘導部材の間には、遊技球を誘導する部材が設けられておらず、この遊技球を誘導する部材が設けられていない遊技盤の透明な部分を通じて当該部分の後方に位置する装飾部材が視認される。また、第二遊技領域における下流領域には、進入した遊技球が到達しないように遊技球を誘導する部材が設けられている。すなわち遊技球を誘導する部材が少ない遊技盤の透明な部分を通じて当該部分の後方に位置する装飾部材が視認される。このように、請求項１に記載の発明においては、少なくとも一部が透明である遊技盤によって構成される遊技領域の装飾を妨げる部材が少ないから、遊技領域の装飾性を高めることが可能である。
【００１０】
請求項２に記載の発明のように上流誘導部材および別の入賞口を設定すれば、装飾部材による遊技領域の装飾性能を低下させないように、別の入賞口を設置すること（遊技性を高めること）が可能となる。
【００１１】
請求項３に記載の発明のように第二入賞口および第二入賞口が設けられる流路を設定すれば、第二遊技領域での遊技性を担保しつつ、装飾部材によって装飾される第二遊技領域の下流領域を大きくすること（第二遊技領域の装飾性を高めること）が可能である。
【図面の簡単な説明】
【００１２】
【図１】本発明の一実施形態にかかる遊技機の正面図である（遊技球を貯留する皿や発射装置（ハンドル）等、公知の部材は図示を省略している）。
【図２】第一遊技領域における第一装飾部材で装飾された領域（第一装飾領域）を拡大して示した図である。
【図３】第二遊技領域における第二装飾部材で装飾された領域（第二装飾領域）を拡大して示した図である。
【図４】遊技盤と装飾部材の位置関係を説明するための模式図である。
【発明を実施するための形態】
【００１３】
以下、本発明にかかる実施形態について図面を参照して詳細に説明する。なお、以下の説明における平面方向とは遊技盤１０の平面方向に沿う（平行な）方向を、前後方向とは遊技盤１０の平面方向に直交する方向（遊技者側を前、その反対側を後とする）を、上下方向とは図１における上下方向を、幅方向（左右方向）とは図１における左右方向をいうものとする。
【００１４】
図１にその全体を示す本実施形態にかかる遊技機１は、遊技盤１０、形成部材１３、遊技領域（第一遊技領域１１および第二遊技領域１２）、遊技構成体１４（表示装置１４１とその周囲の装飾１４２）、装飾部材２０、排出口３０、第一入賞口４０、排出誘導部材５０、入賞誘導部材６０、第二入賞口７０、および上流誘導部材８０を備える。以下、図１〜図４を参照して各構成について詳細に説明する。
【００１５】
遊技盤１０は、手前側に遊技領域を構成する板状の部材である。遊技盤１０は、その少なくとも一部が透明な材料で形成されている。具体的には、遊技盤１０を装飾するための装飾部材２０（詳細は後述）と透明な部分が前後方向で重なるように設定される。したがって、装飾部材２０は、透明な部分を通じて装飾部材２０が視認可能である。本実施形態における遊技盤１０は、その全部が透明な材料で形成されている。
【００１６】
遊技盤１０によって構成される遊技領域は、その周囲が形成部材１３によって囲まれている。形成部材１３は略円形（やや上下方向に長い縦長の楕円）に形成されており、その内側の領域が遊技領域となる。図示されない公知の発射装置（ハンドル）によって発射された遊技球は、形成部材１３の一部であるガイドレール１３１の外側の通路を通って遊技領域内に進入する。
【００１７】
遊技盤１０によって構成される遊技領域は、幅方向左側（幅方向一方側）の第一遊技領域１１と、幅方向右側（幅方向他方側）の第二遊技領域１２を含む。具体的には、第一遊技領域１１は、詳細を後述する第一入賞口４０および遊技構成体１４の左側に位置し、第二遊技領域１２は、第二入賞口７０および遊技構成体１４の右側に位置する。
【００１８】
第一遊技領域１１と第二遊技領域１２は、遊技領域中央に設けられた表示装置１４１およびその周囲の装飾１４２（これらをまとめて遊技構成体１４と称する）によって区画されている。全体の遊技領域は、遊技構成体１４の外縁から形成部材１３の内縁に至るまでの領域であるともいえる。遊技構成体１４の上側には、第二遊技領域１２に繋がる連通路９０が設けられている。発射装置（ハンドル）によって連通路９０を通過しない程度に（相対的に弱く）遊技球が出射された場合には、遊技球は第一遊技領域１１を流下することになる。一方、発射装置（ハンドル）によって連通路９０を通過するように（相対的に強く）遊技球が出射された場合には、遊技球は第二遊技領域１２に進入し、当該第二遊技領域１２を流下することになる。つまり、遊技構成体１４により、一旦、一方の遊技領域に進入した遊技球は、他方の遊技領域の上流から流下することがないように構成されている。なお、遊技構成体１４は、第一遊技領域１１と第二遊技領域１２を区画する要素であれば、表示装置１４１や装飾１４２といったもの以外のもので構成されていてもよい。
【００１９】
図４に模式的に示すように、装飾部材２０は、遊技盤１０の後方に設けられる遊技領域装飾用の部材である。本実施形態にかかる遊技機１は、第一装飾部材２１および第二装飾部材２２を有する。第一装飾部材２１は、遊技盤１０の左下に重なるように位置し、第二装飾部材２２は遊技盤１０の右下に重なるように位置する。つまり、第一装飾部材２１は遊技盤１０における第一遊技領域１１を構成する部分の一部（第一装飾領域）に重なり（図１、図２参照）、第二装飾部材２２は遊技盤１０における第二遊技領域１２を構成する部分の一部（第二装飾領域）に重なる（図１、図３参照）。両装飾部材２０は、遊技盤１０を通じて視認可能である。つまり、遊技者には、遊技領域があたかも両装飾部材２０によって装飾されているかのような態様に見える。なお、本実施形態における第一装飾部材２１は、文字列「ＡＢ」を象った部材であり、第二装飾部材２２は、文字列「ＣＤ」を象った部材である。
【００２０】
本実施形態における第一装飾部材２１および第二装飾部材２２は、図示されない駆動機構により平面方向に移動可能である。具体的には、図１〜図３に示す装飾位置から、表示装置１４１に重なる位置まで移動可能である。つまり、両装飾部材２０は、遊技領域（遊技盤１０）を装飾する部材としてだけでなく、いわゆる役物としても機能する。両装飾部材２０を移動させる駆動機構は、特定のものに限定されるわけではないため説明を省略する。
【００２１】
遊技領域の中央最下部には、排出口３０（いわゆるアウト口）が設けられている。発射装置を操作することにより遊技領域に進入した遊技球は、いずれの入賞口にも入賞しなかった場合、当該排出口３０より排出される。なお、当該排出口３０以外の別の排出口３０（別のアウト口）が設けられていてもよい。この場合、遊技領域に進入した遊技球は、いずれの入賞口（別の排出口３０を含む）にも入賞しなかった場合、遊技領域の中央最下部に位置する排出口３０から排出される。
【００２２】
第一入賞口４０は、遊技領域に設けられた複数の入賞口の一つである。第一入賞口４０は、排出口３０の上側に位置する。つまり、第一入賞口４０と排出口３０は上下方向に並ぶ。第一入賞口４０および排出口３０は、第一遊技領域１１と第二遊技領域１２の境界に位置する。換言すれば、第一遊技領域１１と第二遊技領域１２の隣接する部分の一部が、第一入賞口４０（入賞部材４０ａ）および排出口３０により区切られているということができる。第一入賞口４０は、排出口３０の上に設けられた入賞部材４０ａに形成されている。入賞部材４０ａは、遊技盤１０の前面（遊技領域を構成する面）から突出した部材であって、その幅方向両側に二つの第一入賞口４０（左第一入賞口４１および右第一入賞口４２）が形成されている。
【００２３】
開閉部材は、第一入賞口４０の入口を開閉する部材である。開閉部材は、遊技盤１０の平面方向に沿って回動する（回動軸が遊技盤１０の平面方向に直交する）部材である。入賞部材４０ａの左側には左第一入賞口４１を開閉する左開閉部材４１１が、右側には右第一入賞口４２を開閉する右開閉部材４２１が設けられている。開閉部材が幅方向外側に向かって回動すると、第一入賞口４０への遊技球の進入が可能な状態となる。開閉部材が幅方向内側に向かって回動すると、第一入賞口４０が封鎖され（狭められ）、第一入賞口４０への遊技球の進入が不可能な状態となる。
【００２４】
なお、本実施形態では、入賞部材４０ａの上側にヘソ入賞口９１が設けられている。ヘソ入賞口９１は、常に開放状態にある入賞口である。
【００２５】
第一遊技領域１１には、排出誘導部材５０が設けられている。排出誘導部材５０は、遊技領域の左下（第一装飾領域の下方）に設けられる部材であって、排出口３０に向かって延びるように、左側から中央に向かってだんだんと低くなるように傾斜した形状を有する。したがって、排出誘導部材５０に到達した（落下した）遊技球は、排出口３０に向かって排出誘導部材５０の上を転がる。つまり、排出誘導部材５０は、排出口３０に向かって遊技球を誘導する。また、本実施形態にかかる排出誘導部材５０は、その内側に遊技球が通過可能な空洞（通路）が形成されている。当該通路は、形成部材１３の内縁に沿うものとなる。つまり、排出口３０に向かって延びる通路となる。なお、本実施形態にかかる排出誘導部材５０は、合成樹脂材料により一体成形されたものであるが、複数の遊技釘等により構成されていてもよい。また、形成部材１３の一部が排出誘導部材５０として機能するようにしてもよい。
【００２６】
また、第一遊技領域１１には、入賞誘導部材６０が設けられている。入賞誘導部材６０は、上記排出誘導部材５０の上側（第一装飾領域）に設けられる部材であって、第一入賞口４０（左第一入賞口４１）に向かって延びるように、左側から中央に向かってだんだんと低くなるように傾斜した形状を有する。本実施形態における入賞部材４０ａは、複数の遊技釘によって構成される。つまり、入賞誘導部材６０は、第一入賞口４０（左第一入賞口４１）に向かって延びるように複数の遊技釘が並べられることにより構成されている。入賞誘導部材６０には、遊技球が通過可能な一または複数（本実施形態では二つ）の落下口６１が形成されている。本実施形態のように複数の遊技釘により入賞誘導部材６０が構成される場合、一または複数個所において、遊技釘の間隔が、遊技球の直径よりも大きくなるように設定されている。入賞誘導部材６０の上を転がる遊技球は、落下口６１を通過しなければ、第一入賞口４０（左第一入賞口４１）近傍まで到達することになる。なお、入賞誘導部材６０は、複数の遊技釘で構成されている必要はない。例えば、遊技盤１０の前面から突出するように形成されたブロック状の部材により構成されていてもよい。
【００２７】
かかる排出誘導部材５０と入賞誘導部材６０の間の領域は、遊技球を誘導する部材が設けられていない。つまり、当該領域には遊技釘等は全く設けられていないから、少なくとも当該領域において、後方に設けられた第二装飾部材２２を視覚的に遮るものは存在しない。
【００２８】
第二入賞口７０は、第二遊技領域１２に設けられた入賞口である。本実施形態における第二遊技領域１２は、上流領域１２１および下流領域１２２を含む。連通路９０を通過した遊技球は、各種入賞口等に入賞しなければ、上流領域１２１、下流領域１２２の順で流下することになる。上流領域１２１は、下流領域１２２よりも幅方向外側（本実施形態では右側）に位置する。つまり、下流領域１２２は、上流領域１２１よりも排出口３０および第一入賞口４０側に位置する。第二入賞口７０は、第二遊技領域１２における上流領域１２１に設けられている。第二入賞口７０は、一つであってもよいし、複数設けられていてもよい。本実施形態では、第二入賞口７０として二つの入賞口が設けられている。具体的には、上流側に位置する上アタッカー入賞口７１およびこの上アタッカー入賞口７１より下流側に位置する下アタッカー入賞口７２が設けられている。上アタッカー入賞口７１および下アタッカー入賞口７２は上下に併設されている。上アタッカー入賞口７１および下アタッカー入賞口７２は、その前側に設けられたアタッカー部材が手前側に倒れることにより入賞可能となり入賞口である。当該上流領域１２１における第二入賞口７０（上アタッカー入賞口７１および下アタッカー入賞口７２）が位置する流路（アタッカー流路７３）の少なくとも一部は、上下方向に沿い、かつその幅が遊技球一個分以上二個分未満である。つまり、当該アタッカー流路７３を二以上の遊技球が幅方向に並んで流下しないようにすることで、アタッカー流路７３において球詰まりが発生したり、第二入賞口７０である上アタッカー入賞口７１および下アタッカー入賞口７２に二以上の遊技球が一度に入賞しようとして球詰まりが発生したりしてしまうことが防止される。
【００２９】
なお、上流側領域おける第二入賞口７０（上アタッカー入賞口７１および下アタッカー入賞口７２）が位置する部分（アタッカー流路７３）よりさらに上流側には、遊技球が通過可能な入賞ゲート７４が設けられている。
【００３０】
第二遊技領域１２の下流領域１２２は、上流領域１２１よりも下方かつ中央寄りの領域である。当該部分の後方に第二装飾部材２２（文字列「ＣＤ」を模したもの）が配置されている。つまり下流領域１２２は、第二装飾部材２２によって装飾される第二装飾領域である。本実施形態にかかる遊技機１では、排出口３０および第一入賞口４０が配置されている箇所の左側の遊技領域が、第一装飾部材２１によって装飾される第一装飾領域であり、右側の遊技領域が、第二装飾部材２２によって装飾される第二装飾領域となっている。第二遊技領域１２の下流領域１２２は、当該領域に進入した遊技球が第一入賞口４０に到達しないように遊技球を誘導する部材が設けられている。つまり、遊技球を誘導する部材（遊技釘等）は、遊技球が第一入賞口４０に到達しない程度しか設けられていない。
【００３１】
上流誘導部材８０は、第一遊技領域１１に設けられた遊技球を誘導する部材の一つである。上流誘導部材８０は、入賞誘導部材６０に繋がるように設けられている。具体的には、上流誘導部材８０は、その下流側端部が、入賞誘導部材６０の上流側端部に繋がるように設けられている。入賞誘導部材６０の上流側端部は、第一入賞口４０から遠い側の端部である。上流誘導部材８０と入賞誘導部材６０を全体としてひとまとまりの部材と考えたものが、第一入賞口４０へ向かう誘導部材ということができる。
【００３２】
上流誘導部材８０の途中には、遊技球が通過可能な一または複数の分岐口８１が形成されている。本実施形態では、二つの分岐口８１が形成されている。したがって、上流誘導部材８０に誘導される遊技球は、当該分岐口８１を通過しなければ、そのまま入賞誘導部材６０に到達し、入賞誘導部材６０によって第一入賞口４０に向かって誘導される。一方、分岐口８１を通過した場合には、別の入賞口８２に入賞する可能性がある。本実施形態では、二つの分岐口８１のそれぞれの下方に、第一入賞口４０や第二入賞口７０とは異なる別の入賞口８２（いわゆるおまけ入賞口）が設けられており、遊技球が分岐口８１を通過した場合には当該別の入賞口８２に入賞する可能性がある。別の入賞口８２に入賞しなかった場合には、排出口３０より排出される。別の入賞口８２は、遊技領域の左側に設けられている。別の入賞口８２と第一入賞口４０の間に、第一遊技領域１１における第一装飾部材２１が視認可能な領域が位置する。つまり、排出誘導部材５０と入賞誘導部材６０の間の、遊技球を誘導する部材が全く設けられていない領域が位置する。換言すれば、別の入賞口８２は、第一装飾部材２１が視認可能な領域の第一入賞口４０側の反対側に位置するということである。
【００３３】
本実施形態における別の入賞口８２は、その入口となる開口（開口に沿う平面）の傾斜角度が、幅方向に沿う０度よりも上下方向に沿う９０度に近い形状となっている（傾斜角度が４５度より大きく、９０度よりも小さい）。したがって、別の入賞口８２が幅方向に占めるスペースが小さく、第一遊技領域１１における第一装飾部材２１が視認可能な領域が大きくなる。
【００３４】
このように構成される本実施形態にかかる遊技機１の遊技の概要は以下の通りである。なお、以下で説明する遊技の概要は一例である。また、大当たりの抽選方法や演出等は、公知の遊技機と同様のものが適用できるため、詳細な説明は省略する。
【００３５】
大当たりの抽選確率が相対的に低い通常の遊技状態では、遊技者は遊技球が第一遊技領域１１に進入するように発射装置を操作する。つまり、いわゆる左打ち遊技を行う。第一遊技領域１１に進入した遊技球がヘソ入賞口９１に入賞することを契機として大当たりの抽選（低確率での抽選）が実行される。
【００３６】
遊技球がヘソ入賞口９１に入賞することを契機として大当たりに当選すると、開閉部材（左開閉部材４１１および右開閉部材４２１）が頻繁に開放する。つまり、第一入賞口４０（左第一入賞口４１および右第一入賞口４２）に遊技球が入賞しやすい状態となる。遊技者は、第一遊技領域１１に遊技球が進入するように左打ち遊技を行い、遊技球が第一入賞口４０に入賞することにより、賞球として多くの遊技球を獲得することができる。
【００３７】
上述したように、分岐口８１を通過せずに上流誘導部材８０に誘導されて入賞誘導部材６０に到達した遊技球は、落下口６１を通過しなければ第一入賞口４０付近まで到達するため、第一入賞口４０に入賞する可能性がある。分岐口８１を通過した遊技球は、別の入賞口８２に入賞する可能性があり、当該別の入賞口８２に入賞した場合には、所定の賞球が払い出される。また、本実施形態では、二つの分岐路８１のうち、左側（幅方向外側）の分岐路８１を通過した遊技球であって、当該左側の分岐路８１の下方に位置する別の入賞口８２に入賞しなかった遊技球は、排出誘導部材５０の内側に形成された通路を通じて排出口３０に導かれる。一方、右側（幅方向内側）の分岐路８１を通過した遊技球であって、当該右側の分岐路８１の下方に位置する別の入賞口８２に入賞しなかった遊技球は、排出誘導部材５０の上方に到達し、当該排出誘導部材５０によって排出口３０に導かれる。
【００３８】
大当たり遊技終了後は、大当たりの抽選確率が相対的に高い高確率遊技状態に移行する。高確率遊技状態では、遊技者は遊技球が第二遊技領域１２に進入するように発射装置を操作する。つまり、いわゆる右打ち遊技を行う。高確率状態では、第二入賞口７０の一方である上アタッカー入賞口７１の手前に設けられたアタッカー開閉部材が頻繁に開放する。具体的には、高確率状態では、遊技球が入賞ゲート７４を通過することを契機とする上アタッカー入賞口７１の手前に設けられたアタッカー開閉部材の開放抽選に高確率で当選するため、遊技球が上アタッカー入賞口７１に入賞しやすくなる。遊技球が上アタッカー入賞口７１に入賞すると、それを契機として大当たりの抽選（高確率での抽選）が実行される。
【００３９】
遊技球が上アタッカー入賞口７１に入賞することを契機として大当たりに当選すると、下アタッカー入賞口７２の手前に設けられたアタッカー開閉部材が頻繁に開放する。つまり、下アタッカー入賞口７２に遊技球が入賞しやすい状態となる。遊技者は、第二遊技領域１２に遊技球が進入するように右打ち遊技を行い、遊技球が下アタッカー入賞口７２に入賞することにより、賞球として多くの遊技球を獲得することができる。高確率状態での大当たりの抽選は、所定回数行われ、当該所定の抽選回数を行っても大当たりに当選しなかった場合には、低確率状態に移行する（いわゆる左打ち遊技状態に戻る）。
【００４０】
かかる右打ち遊技時において、第二入賞口７０である上アタッカー入賞口７１および下アタッカー入賞口７２のいずれにも入賞せずに上流領域１２１を通過した遊技球は、下流領域１２２に進入する。上述したように、下流領域１２２には、遊技球を誘導する部材（遊技釘等）は遊技球が第一入賞口４０に到達しない程度しか設けられていないため、上流領域１２１を通過し下流領域１２２に進入した遊技球が第一入賞口４０に入賞することはない。
【００４１】
なお、遊技領域の右下には、第一遊技領域１１に設けられた別の入賞口８２や第一入賞口４０および第二入賞口７０とは異なる他の入賞口９２が設けられている。いわゆる右打ち遊技時には遊技球が当該他の入賞口９２に入賞する可能性があり、当該他の入賞口９２に入賞した場合には所定の賞球が払い出される。
【００４２】
以上説明した本実施形態にかかる遊技機１によれば、次のような作用効果が奏される。本実施形態にかかる遊技機１において、第一遊技領域１１における入賞誘導部材６０と排出誘導部材５０の間には、遊技球を誘導する部材が設けられておらず、この遊技球を誘導する部材が設けられていない遊技盤１０の透明な部分を通じて当該部分の後方に位置する第一装飾部材２１が視認される。また、第二遊技領域１２における下流領域１２２には、進入した遊技球が到達しないように遊技球を誘導する部材が設けられている。すなわち遊技球を誘導する部材が少ない遊技盤１０の透明な部分を通じて当該部分の後方に位置する第二装飾部材２２が視認される。このように、本実施形態では、少なくとも一部が透明である遊技盤１０によって構成される遊技領域の装飾を妨げる部材が少ないから、遊技領域の装飾性を高めることが可能である。
【００４３】
また、分岐口８１が形成された上流誘導部材８０を入賞誘導部材６０に繋がるように設けることにより、第一装飾部材２１による第一遊技領域１１の装飾性能を低下させないように、別の入賞口８２を設置すること（遊技性を高めること）が可能である。落下口６１および分岐口８１の数や大きさを調整することにより、第一入賞口４０や別の入賞口８２への入賞確率を適宜調整することも可能である。
【００４４】
また、上流領域１２１における第二入賞口７０が位置する部分の少なくとも一部は、上下方向に沿い、かつその幅が遊技球一個分以上二個分未満の流路（アタッカー流路７３）であるから、第二遊技領域１２での遊技性（いわゆる右打ち遊技状態での遊技の面白さ）を担保しつつ、第二装飾部材２２によって装飾される第二遊技領域１２の下流領域１２２を大きくすること（第二遊技領域１２の装飾性を高めること）が可能である。より具体的には、第二入賞口７０が位置する上下に沿うアタッカー流路７３の幅は、少なくとも一部が遊技球一個分以上二個分未満であるから、二個以上の遊技球が並んで流下することにより、当該アタッカー流路７３や第二入賞口７０の入口で球詰まりが生じてしまうことが抑制される。しかも、上下方向に沿うアタッカー流路７３の幅が小さいから、第二装飾部材２２によって装飾される第二遊技領域１２の下流領域１２２を大きくすることが可能となる。つまり、本実施形態にかかる遊技機１のような第二入賞口７０および当該第二入賞口７０が設けられるアタッカー流路７３の構成（形状・配置）とすることにより、球詰まりを防止する効果だけでなく、第二遊技領域１２の装飾性を高める効果が発現される。
【００４５】
以上、本発明の実施の形態について詳細に説明したが、本発明は上記実施の形態に何ら限定されるものではなく、本発明の要旨を逸脱しない範囲で種々の改変が可能である。
【００４６】
上記実施形態にかかる遊技機１は、第一遊技領域１１が第一装飾部材２１に、第二遊技領域１２が第二装飾部材２２に装飾された構成であることを説明したが、いずれか一方の遊技領域の構造のみを採用した遊技機としてもよい。例えば、入賞誘導部材６０や排出誘導部材５０等を含む第一遊技領域１１の装飾構造のみを採用した遊技機としてもよい。
【符号の説明】
【００４７】
１  遊技機
１０  遊技盤
１１  第一遊技領域
１２  第二遊技領域
１２１  上流領域
１２２  下流領域
１３  形成部材
１３１  ガイドレール
１４  遊技構成体
１４１  表示装置
１４２  周囲の装飾
２０  装飾部材
２１  第一装飾部材
２２  第二装飾部材
３０  排出口
４０  第一入賞口
４１  左第一入賞口
４１１  左開閉部材
４２  右第一入賞口
４２１  右開閉部材
５０  排出誘導部材
６０  入賞誘導部材
６１  落下口
７０  第二入賞口
７１  上アタッカー入賞口
７２  下アタッカー入賞口
７３  アタッカー流路
８０  上流誘導部材
８１  分岐口
８２  別の入賞口
【図１】
2015116430.tif 000003
【図２】
2015116430.tif 000004
【図３】
2015116430.tif 000005
【図４】
2015116430.tif 000006